(57)【要約】【課題】本発明は、電線を電流が流れたときの電圧降下の問題を解決したプラズマディスプレイ装置を提供することを目的とする。【解決手段】プラズマディスプレイ装置は、第１の方向に延びる複数の第１の電極と、第１の方向に延びる複数の第２の電極と、第１の方向に実質的に垂直な第２の方向に延びる複数の第３の電極とを含む電極群により少なくとも表示セルの一部が構成された表示パネルと、複数の第１の電極を駆動する第１の駆動回路と、複数の第２の電極を駆動する第２の駆動回路と、複数の第１の電極が順次走査される際に複数の第３の電極を駆動する第３の駆動回路と、ＡＣ電圧に基づいてＤＣ電圧を生成しＤＣ電圧を第１の駆動回路及び第２の駆動回路に供給する電源回路を含み、第１の駆動回路及び第２の駆動回路の一方の駆動回路と電源回路とが同一のプリント基板上に搭載されたことを特徴とする。【選択図】図６
2008015278.tif 000002
【特許請求の範囲】
【請求項１】
第１の方向に延びる複数の第１の電極と、該第１の方向に延びる複数の第２の電極と、該第１の方向に実質的に垂直な第２の方向に延びる複数の第３の電極とを含む電極群により少なくとも表示セルの一部が構成された表示パネルと、
該複数の第１の電極を駆動する第１の駆動回路と、
該複数の第２の電極を駆動する第２の駆動回路と、
該複数の第１の電極が順次走査される際に該複数の第３の電極を駆動する第３の駆動回路と、
ＡＣ電圧に基づいてＤＣ電圧を生成し該ＤＣ電圧を該第１の駆動回路及び該第２の駆動回路に供給する電源回路
を含み、該第１の駆動回路及び該第２の駆動回路の一方の駆動回路と該電源回路とが同一のプリント基板上に搭載されたことを特徴とするプラズマディスプレイ装置。
【請求項２】
該プリント基板上に搭載された該一方の駆動回路と該電源回路とは、互いに電気的に直接に接続されていない第１の回路部分と第２の回路部分とを含むことを特徴とする請求項１記載のプラズマディスプレイ装置。
【請求項３】
該第１の回路部分と該第２の回路部分とは、磁気結合及び光結合の少なくとも一方により互いに結合されることを特徴とする請求項１記載のプラズマディスプレイ装置。
【請求項４】
該電源回路は整流電圧波形を平滑化する平滑コンデンサを含み、該一方の駆動回路は、該平滑コンデンサから該表示パネルへ電圧を供給する経路においてエネルギー供給用のコンデンサ素子を有さないことを特徴とする請求項１記載のプラズマディスプレイ装置。
【請求項５】
該一方の駆動回路は該表示パネルに維持放電を生成するためのサスティン回路であり、該電源回路は該維持放電の電源電圧を生成する電源電圧生成回路であることを特徴とする請求項１乃至３記載のプラズマディスプレイ装置。
【請求項６】
第１の方向に延びる複数の第１の電極と、該第１の方向に延びる複数の第２の電極と、該第１の方向に実質的に垂直な第２の方向に延びる複数の第３の電極とを含む電極群により少なくとも表示セルの一部が構成された表示パネルと、
該複数の第１の電極を駆動する第１の駆動回路と、
該複数の第２の電極を駆動する第２の駆動回路と、
該複数の第１の電極が順次走査される際に該複数の第３の電極を駆動する第３の駆動回路と、
ＡＣ電圧に基づいてＤＣ電圧を生成し該ＤＣ電圧を該第１の駆動回路及び該第２の駆動回路に供給する電源回路と、
該電源回路が搭載される第１のプリント基板と、
該第１の駆動回路及び該第２の駆動回路の一方の駆動回路が搭載される第２のプリント基板
を含み、該第１のプリント基板と該第２のプリント基板とは隣接して配置され基板コネクタにより互いに接続されることを特徴とするプラズマディスプレイ装置。
【請求項７】
該電源回路は整流電圧波形を平滑化する平滑コンデンサを含み、該一方の駆動回路は、該平滑コンデンサから該表示パネルへ電圧を供給する経路においてエネルギー供給用のコンデンサ素子を有さないことを特徴とする請求項６記載のプラズマディスプレイ装置。
【請求項８】
該電源回路の出力電圧を検出する該第１のプリント基板上に搭載された第１の電圧検出回路と、
該電源回路の出力電圧を検出する該第２のプリント基板上に搭載された第２の電圧検出回路と、
該第１の電圧検出回路の出力と該第２の電圧検出回路の出力との一方を選択して該電源回路にフィードバックする該第１のプリント基板上に搭載された切り替え回路
を更に含むことを特徴とする請求項６記載のプラズマディスプレイ装置。
【請求項９】
該一方の駆動回路は該表示パネルに維持放電を生成するためのサスティン回路であり、該電源回路は該維持放電の電源電圧を生成する電源電圧生成回路であることを特徴とする請求項６乃至８記載のプラズマディスプレイ装置。
【発明の詳細な説明】
【技術分野】
【０００１】
本発明は、一般に画像表示装置に関し、詳しくはプラズマディスプレイ装置に関する。
【背景技術】
【０００２】
プラズマディスプレイパネルは、電極が形成された２枚のガラス基板に挟まれた空間に放電用のガスを満たし、電極間に電圧を印加することで放電を発生させ、この放電から発生した紫外線により基板上に形成された蛍光体を励起発光させて表示を行う。大画面化が容易であること、自発光タイプで表示品質が良いこと、応答速度が速いこと等の理由から特に大画面用の表示デバイスとして広く普及している。
【０００３】
表示パネルには、平行に配置されたＸ電極及びＹ電極が形成され、それらに直交するようにアドレス電極が形成されている。Ｘ電極とＹ電極とは、主に表示発光を行うための維持放電を実施する電極である。このＸ電極とＹ電極との間に、繰り返し電圧パルスを印加することで維持放電を行う。さらに、Ｙ電極は表示データを書き込む際の走査用電極としても機能する。アドレス電極は発光させる放電セルを選択するための電極であり、Ｙ電極とアドレス電極との間に放電セルを選択する書込み放電を行うために、表示データに対応したアドレス電圧パルスを印加する。
【０００４】
図１は、従来のプラズマディスプレイ装置の主要部を示すブロック図である。図１に示されるプラズマディスプレイ装置は、プラズマディスプレイパネル１１、アドレス電極駆動回路１２、Ｙ電極駆動回路１３、Ｘ電極駆動回路１４、スキャン回路１５、駆動制御回路１６、信号処理回路１７、及びＡＣ／ＤＣ電源回路１８を含む。
【０００５】
信号処理回路１７は、外部より入力されるクロック信号、表示データ、垂直同期信号、水平同期信号等を受け取り、垂直同期信号に基づいてフレームメモリにＲＧＢの表示データを書き込む等の作業を行う。駆動制御回路１６は、アドレス電極駆動回路１２、Ｙ電極駆動回路１３、Ｘ電極駆動回路１４、及びスキャン回路１５を制御して、フレームメモリに格納された表示データをプラズマディスプレイパネル１１に表示する。
【０００６】
具体的には、駆動制御回路１６は、クロック信号に同期してフレームメモリの表示データに応じたアドレス制御信号を生成する。アドレス制御信号は、アドレス電極駆動回路１２に供給される。駆動制御回路１６は更に、垂直同期信号及び水平同期信号に同期して、スキャン回路１５を制御するスキャンドライバ制御信号を生成する。スキャンドライバ制御信号は、スキャン回路１５に供給される。駆動制御回路１６は更に、垂直同期信号及び水平同期信号に同期して、Ｙ電極駆動回路１３及びＸ電極駆動回路１４を駆動する。
【０００７】
アドレス電極駆動回路１２は、表示データに応じたアドレス電圧パルスをクロック信号に同期して各アドレス電極Ａ１乃至Ａｍに印加する。Ｙ電極駆動回路１３は、スキャン回路１５を介して、各Ｙ電極Ｙ１乃至Ｙｎを独立して駆動する。Ｘ電極駆動回路１４は、全てのＸ電極Ｘ１乃至Ｘｎを共通に駆動する。
【０００８】
アドレス電極駆動回路１２、Ｙ電極駆動回路１３、Ｘ電極駆動回路１４、及びスキャン回路１５の動作により、リセット期間において各表示画素の初期化を行い、次のアドレス期間において表示する画素を選択し、最後のサスティン期間において選択された画素を発光させる。
【０００９】
リセット期間においては、Ｙ電極駆動回路１３内部のリセット／アドレス電圧発生回路がリセット電圧を発生し、スキャン回路１５がリセット電圧を全てのＹ電極Ｙ１乃至Ｙｎに印加する。またＸ電極駆動回路１４内部のリセット／アドレス電圧発生回路が発生したリセット電圧が、全てのＸ電極Ｘ１乃至Ｘｎに印加される。
【００１０】
アドレス期間においては、スキャン回路１５が、Ｙ電極駆動回路１３のリセット／アドレス電圧発生回路の発生したアドレス電圧により各Ｙ電極Ｙ１乃至Ｙｎを一本ずつ順次駆動しながら、アドレス電極駆動回路１２が、表示データに応じた各水平ラインの一ライン分のアドレス電圧パルスをアドレス電極Ａ１乃至Ａｍに並列に印加する。これにより表示するセルを選択して、各表示セル（画素）の表示・不表示（選択／非選択）を制御する。
【００１１】
サスティン期間においては、Ｙ電極駆動回路１３内部のサスティンパルス回路により発生した維持電圧パルスを、スキャン回路１５を介してＹ電極Ｙ１乃至Ｙｎに印加すると共に、Ｘ電極駆動回路１４内部のサスティンパルス回路により発生した維持電圧パルスをＸ電極Ｘ１乃至Ｘｎに印加する。維持電圧パルスを印加することで、表示セルとして選択されたセルにおいて、Ｘ電極とＹ電極の間に維持放電を発生させる。この維持電圧パルスは、維持電圧ＶＳ０に基づいて生成される。ＡＣ／ＤＣ電源回路１８が商用のＡＣ電源電圧をＤＣ電源電圧に変換し、電線１８ａを介してＸ電極駆動回路１４に維持電圧ＶＳ０を供給する。またこの維持電圧ＶＳ０が、更にＸ電極駆動回路１４からＹ電極駆動回路１３に電線１８ｂを介して供給される。
【００１２】
図２は、従来のＡＣ／ＤＣ電源回路１８の構成の一例を示す図である。ＡＣ／ＤＣ電源回路１８は、整流回路２１、パルス生成回路２２、トランス２３、ダイオード２４、発光素子２５、受光素子２６、平滑コンデンサＣｖｓ０、及び電圧検出回路として機能する抵抗Ｒ１及びＲ２を含む。
【００１３】
整流回路２１は商用ＡＣ電源から供給されるＡＣ電圧を整流し、整流された電圧をパルス生成回路２２に供給する。パルス生成回路２２は、整流回路２１からの整流された電圧に基づいて、矩形のパルス電圧波形を生成する。このパルス電圧波形によりトランス２３の出力側に電流が生成される。この電流がダイオード２４を介して平滑コンデンサＣｖｓ０に流れ込むことで、平滑コンデンサＣｖｓ０が充電される。平滑コンデンサＣｖｓ０の両端子間の電圧は抵抗Ｒ１及びＲ２により分圧され、この分圧された電圧レベルに応じた強度の光を発光素子２５が放射する。受光素子２６が発光素子２５からの光を受光して、受光した光強度に応じた信号をパルス生成回路２２に供給する。パルス生成回路２２は、受光素子２６からの信号に応じて、パルスの生成を制御する。このフィードバック制御により、平滑コンデンサＣｖｓ０の両端子間の電圧を所定の電圧（維持放電電圧ＶＳ０）に調整する。
【００１４】
トランス２３においては、磁束の変化としてトランスの１次側から２次側へと電力が伝達されるものであり、トランス２３の入力側と出力側とは、電気的に接続（電気導体により直接に接続）されているのではない。また発光素子２５及び受光素子２６からなる光結合部２７においては、光の強度として入力側から出力側に情報が伝達されるものであり、入力側と出力側とは電気的に接続（電気導体により直接に接続）されているのではない。このようにして、１次側と２次側とは電気的に絶縁されている。
【００１５】
図３は、従来のＸ電極駆動回路１４の回路構成の一例を示す図である。Ｘ電極駆動回路１４は、エネルギー供給用コンデンサＣｖｓ１、パワーＭＯＳ電界効果トランジスタＱ１乃至Ｑ４、ダイオードＤ１及びＤ２、インダクタＬ１及びＬ２、電荷回収用コンデンサＣ１を含む。図示される容量Ｃｐ１はプラズマディスプレイパネル１１の容量を表し、詳しくはプラズマディスプレイパネル１１のＸ電極が有する容量である。図３に示されるのは、Ｘ電極駆動回路１４のうちで維持放電を発生させるためのサスティン回路に関する部分である。Ｘ電極駆動回路１４には他に、リセット電圧を供給するための回路部分等が含まれるが、図３においては省略されている。
【００１６】
維持放電の動作において、初期状態では、容量Ｃｐ１に電荷は存在せずグランド電位となっており、また電荷回収用コンデンサＣ１には電荷が蓄積され約ＶＳ０／２の電圧となっている。この状態でまずパワーＭＯＳ電界効果トランジスタＱ３が導通し、電荷回収用コンデンサＣ１の電荷がダイオードＤ１及びインダクタＬ１を介して容量Ｃｐ１に流れ込む。この際、インダクタＬ１と容量Ｃｐ１との共振作用により、容量Ｃｐ１は約ＶＳ０の電圧となる。その後、プラズマディスプレイパネル１１のＸ電極を一定電圧に保つために、パワーＭＯＳ電界効果トランジスタＱ１を導通して、エネルギー供給用コンデンサＣｖｓ１から電圧ＶＳ０をプラズマディスプレイパネル１１に供給する。これにより維持放電が発生する。なおエネルギー供給用コンデンサＣｖｓ１には、ＡＣ／ＤＣ電源回路１８から供給される維持放電電圧ＶＳ０が印加されている。
【００１７】
その後、パワーＭＯＳ電界効果トランジスタＱ１を非導通にして、パワーＭＯＳ電界効果トランジスタＱ４を導通させると、容量Ｃｐ１からインダクタＬ２及びダイオードＤ２を介して、電荷回収用コンデンサＣ１に電荷が流れ込む。これにより、プラズマディスプレイパネル１１の容量Ｃｐ１を充電するために使用した電荷を回収することができる。その後、パワーＭＯＳ電界効果トランジスタＱ２を導通させ、容量Ｃｐ１の回収しきれなかった電荷を抜き取り、Ｘ電極をグランド電位に設定する。
【００１８】
図４は、従来のＸ電極駆動回路１４とＡＣ／ＤＣ電源回路１８との接続を示す図である。図４において、図１乃至図３と同一の構成要素は同一の番号で参照し、その説明は省略する。
【００１９】
ＡＣ／ＤＣ電源回路基板３１にはＡＣ／ＤＣ電源回路１８が搭載されている。またＸ電極駆動回路基板３２にはＸ電極駆動回路１４が搭載されている。ＡＣ／ＤＣ電源回路基板３１とＸ電極駆動回路基板３２とは別々の基板であり、電線１８ａを介して、それぞれの基板上のＡＣ／ＤＣ電源回路１８とＸ電極駆動回路１４とが接続されている。
【００２０】
このような構成では、電線１８ａの引き回しが必要となると共に、高い電圧（ＶＳ０）を供給するための太い電線が必要となりコストがかさむ。また電線１８ａを電流が流れたときに電圧降下が発生するので、大容量のエネルギー供給用コンデンサＣｖｓ１をＸ電極駆動回路１４側に設けることが必要になり、大きな基板面積が必要になってしまう。
【００２１】
図５は、従来のプラズマディスプレイ装置における各回路の配置を示した図である。図５に示すのは、プラズマディスプレイパネル１１を裏側から見た様子であり、プラズマディスプレイパネル１１の裏側（画面表示側の逆側）に各回路が配置されている。
【００２２】
駆動制御回路１６、信号処理回路１７、及びＡＣ／ＤＣ電源回路１８がプラズマディスプレイパネル１１の中心付近に配置され、Ｘ電極駆動回路１４及びＹ電極駆動回路１３がプラズマディスプレイパネル１１の両サイドにバランスを保つように配置される。またアドレス電極駆動回路１２は、プラズマディスプレイパネル１１の底部に配置される。中心付近に配置されたＡＣ／ＤＣ電源回路１８から、電線１８ａを介して、電源電圧がＸ電極駆動回路１４に供給される。またＸ電極駆動回路１４から、電線１８ｂを介して、電源電圧がＹ電極駆動回路１３に供給される。
【００２３】
従来、Ｙ電極駆動回路１３、Ｘ電極駆動回路１４、及びＡＣ／ＤＣ電源回路１８等は、回路規模が大きく重量がかさむために、図５に示すように左右バランスよく配置することが必要であった。そのため、ＡＣ／ＤＣ電源回路１８を中心に配置し、両サイドに位置するＹ電極駆動回路１３及びＸ電極駆動回路１４に、電線を介して電源電圧を供給する構成が必要となる。しかしこのような構成では、前述のように、高い電圧を供給するための太い電線が必要となりコストがかさむと共に、電線１８ａを電流が流れたときに電圧降下が発生するので、大容量のエネルギー供給用コンデンサＣｖｓ１をＸ電極駆動回路１４側に設けることが必要になり、大きな基板面積が必要になってしまう。
【００２４】
また近年、大画面表示の要請に応えてプラズマディスプレイパネルのサイズが大きくなる傾向にあり、電線１８ａの長さが更に長くなるという問題がある。
【特許文献１】特開２００３−３０２９３２号公報
【発明の開示】
【発明が解決しようとする課題】
【００２５】
以上を鑑みて本発明は、電圧供給のために必要な電線のコストを削減すると共に、この電線を電流が流れたときの電圧降下の問題を解決したプラズマディスプレイ装置を提供することを目的とする。
【課題を解決するための手段】
【００２６】
本発明によるプラズマディスプレイ装置は、第１の方向に延びる複数の第１の電極と、該第１の方向に延びる複数の第２の電極と、該第１の方向に実質的に垂直な第２の方向に延びる複数の第３の電極とを含む電極群により少なくとも表示セルの一部が構成された表示パネルと、該複数の第１の電極を駆動する第１の駆動回路と、該複数の第２の電極を駆動する第２の駆動回路と、該複数の第１の電極が順次走査される際に該複数の第３の電極を駆動する第３の駆動回路と、ＡＣ電圧に基づいてＤＣ電圧を生成し該ＤＣ電圧を該第１の駆動回路及び該第２の駆動回路に供給する電源回路を含み、該第１の駆動回路及び該第２の駆動回路の一方の駆動回路と該電源回路とが同一のプリント基板上に搭載されたことを特徴とする。
【００２７】
本発明の別の側面によるプラズマディスプレイ装置は、第１の方向に延びる複数の第１の電極と、該第１の方向に延びる複数の第２の電極と、該第１の方向に実質的に垂直な第２の方向に延びる複数の第３の電極とを含む電極群により少なくとも表示セルの一部が構成された表示パネルと、該複数の第１の電極を駆動する第１の駆動回路と、該複数の第２の電極を駆動する第２の駆動回路と、該複数の第１の電極が順次走査される際に該複数の第３の電極を駆動する第３の駆動回路と、ＡＣ電圧に基づいてＤＣ電圧を生成し該ＤＣ電圧を該第１の駆動回路及び該第２の駆動回路に供給する電源回路と、該電源回路が搭載される第１のプリント基板と、該第１の駆動回路及び該第２の駆動回路の一方の駆動回路が搭載される第２のプリント基板を含み、該第１のプリント基板と該第２のプリント基板とは隣接して配置され基板コネクタにより互いに接続されることを特徴とする。
【発明の効果】
【００２８】
本発明の少なくとも１つの実施例によれば、電源回路が生成した電圧は、回路基板上のプリント配線又は基板コネクタを介して駆動回路に供給される。従来の電線に比較して、プリント配線や基板コネクタの長さは大幅に短いので、電流が流れることによる電圧降下は殆ど無視することができる。このようにして、電圧供給のために必要な電線のコストを削減すると共に、この電線を電流が流れたときの電圧降下の問題を解決することができる。
【発明を実施するための最良の形態】
【００２９】
以下に、本発明の実施例を添付の図面を用いて詳細に説明する。
【００３０】
図６は、本発明によるプラズマディスプレイ装置の第１の実施例の主要部を示すブロック図である。図６に示されるプラズマディスプレイ装置は、プラズマディスプレイパネル１１、アドレス電極駆動回路１２、Ｙ電極駆動回路１３、Ｘ電極駆動回路３４、スキャン回路１５、駆動制御回路１６、信号処理回路１７、及びＡＣ／ＤＣ電源回路１８を含む。図６において、図１の構成要素と同一の構成要素は同一の番号で参照し、その説明は省略する。
【００３１】
図６に示すプラズマディスプレイ装置は、Ｘ電極駆動回路１４の代わりにＸ電極駆動回路３４が設けられ、Ｘ電極駆動回路３４とＡＣ／ＤＣ電源回路１８とが同一の回路基板（プリント基板）３５に搭載されている。Ｘ電極駆動回路３４とＡＣ／ＤＣ電源回路１８とを同一の回路基板３５に搭載することで、これらの回路の間を接続していた電線が不要となる。
【００３２】
図６のプラズマディスプレイパネル１１、アドレス電極駆動回路１２、Ｙ電極駆動回路１３、スキャン回路１５、駆動制御回路１６、及び信号処理回路１７の構成及び動作は、図１を参照して説明した構成及び動作と同様である。
【００３３】
図７は、回路基板３５に搭載されたＸ電極駆動回路３４とＡＣ／ＤＣ電源回路１８とを示す図である。図７において、図４と同一の構成要素は同一の番号で参照し、その説明は省略する。
【００３４】
ＡＣ／ＤＣ電源回路１８とＸ電極駆動回路３４とが同一の回路基板３５に搭載されているので、ＡＣ／ＤＣ電源回路１８が生成した電圧ＶＳ０は、回路基板３５上のプリント配線４１を介してＸ電極駆動回路３４に供給される。従来の電線１８ａに比較して、プリント配線４１の長さは大幅に短いので、プリント配線４１を電流が流れることによる電圧ＶＳ０の電圧降下は殆ど無視することができる。
【００３５】
Ｘ電極駆動回路３４は、エネルギー供給用コンデンサＣｖｓ１が削除されている点を除き、Ｘ電極駆動回路１４と同一の回路構成である。この場合、プリント配線４１による電圧降下を殆ど無視することができるので、ＡＣ／ＤＣ電源回路１８側のコンデンサＣｖｓ０をエネルギー供給用のコンデンサとして使用することが可能であり、Ｘ電極駆動回路３４側にエネルギー供給用のコンデンサを別個に設ける必要がない。
【００３６】
ＡＣ／ＤＣ電源回路１８の回路構成及び動作は、図２を参照して説明した回路構成及び動作と同一である。またＸ電極駆動回路３４の回路構成及び動作は、コンデンサＣｖｓ０がエネルギー供給用のコンデンサとして使用されることを除き、図３を参照して説明した回路構成及び動作と同一である。
【００３７】
またトランス２３においては、磁束の変化としてトランスの１次側から２次側へと電力が伝達されるものであり（磁気結合）、トランス２３の入力側と出力側とは、電気的に接続（電気導体により直接に接続）されているのではない。更に発光素子２５及び受光素子２６からなる光結合部２７においては、光の強度として入力側から出力側に情報が伝達されるものであり（光結合）、入力側と出力側とは電気的に接続（電気導体により直接に接続）されているのではない。このようにして、１次側（ホット側）と２次側（コールド側）とは電気的に絶縁されている。
【００３８】
図８は、本発明によるプラズマディスプレイ装置の第１の実施例の変形例を示す図である。図８において、図７と同一の構成要素は同一の番号で参照し、その説明は省略する。
【００３９】
図６及び図７に示す構成では、ＡＣ／ＤＣ電源回路１８及びＸ電極駆動回路３４が同一の回路基板３５に搭載されているが、図８に示す変形例では、ＡＣ／ＤＣ電源回路１８Ａ及びＸ電極駆動回路３４ＡがそれぞれＡＣ／ＤＣ電源回路基板３６及びＸ電極駆動回路基板３７に別々に搭載されている。
【００４０】
ＡＣ／ＤＣ電源回路基板３６とＸ電極駆動回路基板３７とは、隣接して配置され、基板コネクタ４２及び基板コネクタ４３で接続されている。ＡＣ／ＤＣ電源回路１８Ａが生成した電圧ＶＳ０は、基板コネクタ４２を介してＸ電極駆動回路３４Ａに供給される。従来の電線１８ａに比較して、基板コネクタ４２の長さは大幅に短いので、基板コネクタ４２を電流が流れることによる電圧ＶＳ０の電圧降下は殆ど無視することができる。
【００４１】
Ｘ電極駆動回路３４Ａは、エネルギー供給用コンデンサＣｖｓ１が削除されている点、及び抵抗Ｒ３及びＲ４が追加されている点を除き、Ｘ電極駆動回路１４と同一の回路構成である。この場合、基板コネクタ４２による電圧降下を殆ど無視することができるので、ＡＣ／ＤＣ電源回路１８Ａ側のコンデンサＣｖｓ０をエネルギー供給用のコンデンサとして使用することが可能であり、Ｘ電極駆動回路３４Ａ側にエネルギー供給用のコンデンサを別個に設ける必要がない。
【００４２】
ＡＣ／ＤＣ電源回路１８Ａは、切り替え回路４４が設けられている点を除き、ＡＣ／ＤＣ電源回路１８と同一の回路構成である。切り替え回路４４の機能及び動作については後ほど説明する。
【００４３】
ＡＣ／ＤＣ電源回路１８Ａの基本的な回路構成及び動作は、切り替え回路４４が設けられている点を除き、図２を参照して説明した回路構成及び動作と同一である。またＸ電極駆動回路３４Ａの基本的な回路構成及び動作は、コンデンサＣｖｓ０がエネルギー供給用のコンデンサとして使用されることを除き、図３を参照して説明した回路構成及び動作と同一である。
【００４４】
図７の構成ではＡＣ／ＤＣ電源回路１８とＸ電極駆動回路３４とが同一の回路基板３５に実装されているが、図８の構成ではＡＣ／ＤＣ電源回路１８ＡとＸ電極駆動回路３４ＡとがそれぞれＡＣ／ＤＣ電源回路基板３６とＸ電極駆動回路基板３７とに別々に実装されている。このようにＡＣ／ＤＣ電源回路１８ＡとＸ電極駆動回路３４Ａとを別の基板とすることで、Ｘ電極駆動回路３４Ａに変更がなされた場合であっても、ＡＣ／ＤＣ電源回路１８Ａ側のＡＣ／ＤＣ電源回路基板３６には何の変更もないというメリットがある。
【００４５】
工業製品には種々の規格があり、例えばＵＬ規格は、米国の安全試験機関であるＵＬが公共の安全のために、民間機器の安全審査・試験を行うものである。ＵＬは、機器の火災及び感電の危険に関して、規格を制定し、各製品の審査・試験を実施し、適合した製品にはＵＬマークの貼付を許可する。例えば回路基板３５に搭載されたＡＣ／ＤＣ電源回路１８について、ＵＬ規格適合の認定を受けるためには、回路基板３５全体を審査対象として申請して、審査・試験を受ける必要がある。適合認定を受けた後に、回路基板３５上のＸ電極駆動回路３４に変更を加えると、回路基板３５に変更を加えたことになり、再度回路基板３５全体を審査対象として、適合審査を受ける必要が生じる。
【００４６】
それに対して、図８の構成ではＡＣ／ＤＣ電源回路１８ＡとＸ電極駆動回路３４ＡとがそれぞれＡＣ／ＤＣ電源回路基板３６とＸ電極駆動回路基板３７とに別々に実装されているので、Ｘ電極駆動回路３４Ａに変更がなされた場合であっても、ＡＣ／ＤＣ電源回路１８Ａ側のＡＣ／ＤＣ電源回路基板３６には何の変更もない。従って、最初にＡＣ／ＤＣ電源回路基板３６について適合認定を受けておけば、その後Ｘ電極駆動回路側に幾ら変更を加えようとも、適合認定の申請を逐一行う必要が無くなる。
【００４７】
更に、図８の構成では、Ｘ電極駆動回路３４Ａに電圧検出回路として機能する抵抗Ｒ３及びＲ４が設けられている。平滑コンデンサＣｖｓ０の両端子間の電圧である電圧ＶＳ０は、抵抗Ｒ３及びＲ４により分圧される。分圧された電圧は基板コネクタ４３及び切り替え回路４４を介して光結合部２７に供給される。光結合部２７では、分圧レベルに応じた強度の光を発光素子２５が放射する。受光素子２６が発光素子２５からの光を受光して、受光した光強度に応じた信号をパルス生成回路２２に供給する。パルス生成回路２２は、受光素子２６からの信号に応じて、パルスの生成を制御する。このフィードバック制御により、平滑コンデンサＣｖｓ０の両端子間の電圧を所定の電圧（維持放電電圧ＶＳ０）に調整する。
【００４８】
制御対象の電圧ＶＳ０はＸ電極駆動回路３４Ａで使用する電圧であるので、Ｘ電極駆動回路３４Ａが実装されたＸ電極駆動回路基板３７（実際にその電圧を使用する側）において検出された電圧レベルに基づいて、フィードバック制御することが好ましい。このようなフィードバック制御によって、電圧ＶＳ０のより正確な設定が可能になる。上記説明した抵抗Ｒ３及びＲ４は、Ｘ電極駆動回路基板３７側において電圧ＶＳ０の電圧値（正確には分圧レベル値）を検出するために設けられている。
【００４９】
切り替え回路４４は、プラズマディスプレイ装置をユーザが使用する通常の動作時には、Ｘ電極駆動回路基板３７側からの入力を選択して、光結合部２７に供給するように設定される。また必要に応じて、切り替え回路４４へ入力する制御信号により切り替え回路４４の設定を変更して、抵抗Ｒ１及びＲ２により分圧された電圧レベルを選択して、光結合部２７に供給するように設定することができる。抵抗Ｒ１及びＲ２は、プラズマディスプレイ装置をユーザが使用する通常動作のためには必要がないが、抵抗Ｒ１及びＲ２を設けておかないと、ＡＣ／ＤＣ電源回路基板３６単体での動作確認が行えない。
【００５０】
図８のＡＣ／ＤＣ電源回路１８Ａでは、抵抗Ｒ１及びＲ２をＡＣ／ＤＣ電源回路基板３６上に設け、切り替え回路４４により、抵抗Ｒ１及びＲ２からの検出電圧に基づいたフィードバック制御が実行できるように構成されている。この構成により、ＡＣ／ＤＣ電源回路基板３６がＸ電極駆動回路基板３７に接続されていない単体の状態であっても、ＡＣ／ＤＣ電源回路１８Ａの動作試験を行うことができる。
【００５１】
図９は、本発明によるプラズマディスプレイ装置の第２の実施例の主要部を示すブロック図である。図９に示されるプラズマディスプレイ装置は、プラズマディスプレイパネル１１、アドレス電極駆動回路１２、Ｙ電極駆動回路３３、Ｘ電極駆動回路１４、スキャン回路１５、駆動制御回路１６、信号処理回路１７、及びＡＣ／ＤＣ電源回路１８を含む。図９において、図１の構成要素と同一の構成要素は同一の番号で参照し、その説明は省略する。
【００５２】
図９に示すプラズマディスプレイ装置は、Ｙ電極駆動回路１３の代わりにＹ電極駆動回路３３が設けられ、Ｙ電極駆動回路３３とＡＣ／ＤＣ電源回路１８とが同一の回路基板（プリント基板）３８に搭載されている。Ｙ電極駆動回路３３とＡＣ／ＤＣ電源回路１８とを同一の回路基板３８に搭載することで、Ｙ電極駆動回路３３に維持放電電圧ＶＳ０を供給するための電線を引き回す必要が無くなる。
【００５３】
図１の構成では、ＡＣ／ＤＣ電源回路１８から電線１８ａを介してＸ電極駆動回路１４に電圧ＶＳ０を供給し、更にＸ電極駆動回路１４から電線１８ｂを介してＹ電極駆動回路１３に電圧ＶＳ０を供給している。図９の構成では、ＡＣ／ＤＣ電源回路１８からまずＹ電極駆動回路３３に電圧ＶＳ０を供給し、その後、Ｙ電極駆動回路３３から電線１８ｂを介してＸ電極駆動回路１４に電圧ＶＳ０を供給している。
【００５４】
図９に示すプラズマディスプレイパネル１１、アドレス電極駆動回路１２、Ｘ電極駆動回路１４、スキャン回路１５、駆動制御回路１６、及び信号処理回路１７の構成及び動作は、図１を参照して説明した構成及び動作と同様である。
【００５５】
図１０は、回路基板３８に搭載されたＹ電極駆動回路３３とＡＣ／ＤＣ電源回路１８とを示す図である。図１０において、図４と同一の構成要素は同一の番号で参照し、その説明は省略する。
【００５６】
ＡＣ／ＤＣ電源回路１８とＹ電極駆動回路３３とが同一の回路基板３８に搭載されているので、ＡＣ／ＤＣ電源回路１８が生成した電圧ＶＳ０は、回路基板３８上のプリント配線を介してＹ電極駆動回路３３に供給される。プリント配線の長さは短いので、プリント配線を電流が流れることによる電圧ＶＳ０の電圧降下は殆ど無視することができる。
【００５７】
図１に示す従来の構成において、Ｙ電極駆動回路１３とＸ電極駆動回路１４とは、維持放電を行うためのサスティン回路部分は同一である。即ち、Ｘ電極駆動回路１４のうちで維持放電を発生させるためのサスティン回路に関する部分を示す図３の回路構成は、Ｙ電極駆動回路１３のサスティン回路の構成に等しい。
【００５８】
図１０に示す本発明におけるＹ電極駆動回路３３は、エネルギー供給用コンデンサＣｖｓ１が削除されている点を除き、従来のＹ電極駆動回路１３と同一の回路構成である。この場合、プリント配線による電圧降下を殆ど無視することができるので、ＡＣ／ＤＣ電源回路１８側のコンデンサＣｖｓ０をエネルギー供給用のコンデンサとして使用することが可能であり、Ｙ電極駆動回路３３側にエネルギー供給用のコンデンサを別個に設ける必要がない。
【００５９】
ＡＣ／ＤＣ電源回路１８の回路構成及び動作は、図２を参照して説明した回路構成及び動作と同一である。またＹ電極駆動回路３３の維持放電に関する回路構成及び動作は、コンデンサＣｖｓ０がエネルギー供給用のコンデンサとして使用されることを除き、図３を参照して説明した回路構成及び動作と同一である。
【００６０】
またトランス２３においては、磁束の変化としてトランスの１次側から２次側へと電力が伝達されるものであり、トランス２３の入力側と出力側とは、電気的に接続（電気導体により直接に接続）されているのではない。更に発光素子２５及び受光素子２６からなる光結合部２７においては、光の強度として入力側から出力側に情報が伝達されるものであり、入力側と出力側とは電気的に接続（電気導体により直接に接続）されているのではない。このようにして、１次側（ホット側）と２次側（コールド側）とは電気的に絶縁されている。
【００６１】
図１１は、本発明によるプラズマディスプレイ装置の第２の実施例の変形例を示す図である。図１１において、図１０と同一の構成要素は同一の番号で参照し、その説明は省略する。
【００６２】
図９及び図１０に示す構成では、Ｙ電極駆動回路３３及びＡＣ／ＤＣ電源回路１８が同一の回路基板３８に搭載されているが、図１１に示す変形例では、ＡＣ／ＤＣ電源回路１８Ａ及びＹ電極駆動回路３３ＡがそれぞれＡＣ／ＤＣ電源回路基板３６及びＹ電極駆動回路基板３９に搭載されている。
【００６３】
ＡＣ／ＤＣ電源回路基板３６とＹ電極駆動回路基板３９とは、隣接して配置され、基板コネクタ４６及び基板コネクタ４７で接続されている。ＡＣ／ＤＣ電源回路１８Ａが生成した電圧ＶＳ０は、基板コネクタ４６を介してＹ電極駆動回路３３Ａに供給される。基板コネクタ４６の長さは短いので、基板コネクタ４６を電流が流れることによる電圧ＶＳ０の電圧降下は殆ど無視することができる。
【００６４】
Ｙ電極駆動回路３３Ａは、エネルギー供給用コンデンサＣｖｓ１が削除されている点、及び抵抗Ｒ３及びＲ４が追加されている点を除き、Ｙ電極駆動回路１３と同一の回路構成である。この場合、基板コネクタ４６による電圧降下を殆ど無視することができるので、ＡＣ／ＤＣ電源回路１８Ａ側のコンデンサＣｖｓ０をエネルギー供給用のコンデンサとして使用することが可能であり、Ｙ電極駆動回路３３Ａ側にエネルギー供給用のコンデンサを別個に設ける必要がない。
【００６５】
ＡＣ／ＤＣ電源回路１８Ａは、図８を参照して説明したＡＣ／ＤＣ電源回路１８Ａと同じ回路であり、切り替え回路４４が設けられている点を除き、従来のＡＣ／ＤＣ電源回路１８と同一の回路構成である。またＹ電極駆動回路３３Ａのサスティン回路の基本的な回路構成及び動作は、コンデンサＣｖｓ０がエネルギー供給用のコンデンサとして使用されることを除き、図３を参照して説明した回路構成及び動作と同一である。
【００６６】
図１０の構成ではＡＣ／ＤＣ電源回路１８とＹ電極駆動回路３３とが同一の回路基板３８に実装されているが、図１１の構成ではＡＣ／ＤＣ電源回路１８ＡとＹ電極駆動回路３３ＡとがそれぞれＡＣ／ＤＣ電源回路基板３６とＹ電極駆動回路基板３９とに別々に実装されている。従って、回路変更と規格適合認定に関して図８の構成について説明したのと同様のメリットが得られる。
【００６７】
更に、図１１の構成では、抵抗Ｒ３及びＲ４が、Ｙ電極駆動回路基板３９側において電圧ＶＳ０の電圧値（正確には分圧レベル値）を検出するために設けられている。プラズマディスプレイ装置をユーザが使用する通常の動作時には、切り替え回路４４がＹ電極駆動回路基板３９側からの電圧を選択して、光結合部２７に供給する。またＡＣ／ＤＣ電源回路基板３６がＹ電極駆動回路基板３９に接続されていない単体の状態では、切り替え回路４４が抵抗Ｒ１及びＲ２からの電圧値を選択することにより、ＡＣ／ＤＣ電源回路１８Ａの動作試験を単体で行うことができる。この利点は、図８の構成について説明したメリットと同様である。
【００６８】
以上、本発明を実施例に基づいて説明したが、本発明は上記実施例に限定されるものではなく、特許請求の範囲に記載の範囲内で様々な変形が可能である。
【図面の簡単な説明】
【００６９】
【図１】従来のプラズマディスプレイ装置の主要部を示すブロック図である。
【図２】従来のＡＣ／ＤＣ電源回路の構成の一例を示す図である。
【図３】従来のＸ電極駆動回路の回路構成の一例を示す図である。
【図４】従来のＸ電極駆動回路とＡＣ／ＤＣ電源回路との接続を示す図である。
【図５】従来のプラズマディスプレイ装置における各回路の配置を示した図である。
【図６】本発明によるプラズマディスプレイ装置の第１の実施例の主要部を示すブロック図である。
【図７】同一回路基板に搭載されたＸ電極駆動回路とＡＣ／ＤＣ電源回路とを示す図である。
【図８】本発明によるプラズマディスプレイ装置の第１の実施例の変形例を示す図である。
【図９】本発明によるプラズマディスプレイ装置の第２の実施例の主要部を示すブロック図である。
【図１０】同一回路基板に搭載されたＹ電極駆動回路とＡＣ／ＤＣ電源回路とを示す図である。
【図１１】本発明によるプラズマディスプレイ装置の第２の実施例の変形例を示す図である。
【符号の説明】
【００７０】
１１  プラズマディスプレイパネル
１２  アドレス電極駆動回路
１３  Ｙ電極駆動回路
１４  Ｘ電極駆動回路
１５  スキャン回路
１６  駆動制御回路
１７  信号処理回路
１８  ＡＣ／ＤＣ電源回路
３１  ＡＣ／ＤＣ電源回路基板
３２  Ｘ電極駆動回路基板
３３  Ｙ電極駆動回路
３４  Ｘ電極駆動回路
３５  回路基板
３６  ＡＣ／ＤＣ電源回路基板
３７  Ｘ電極駆動回路基板
３８  回路基板
３９  Ｙ電極駆動回路基板
４１  プリント配線
４２  基板コネクタ
４３  基板コネクタ
４４  切り替え回路
４６  基板コネクタ
４７  基板コネクタ
【図１】
2008015278.tif 000003
【図２】
2008015278.tif 000004
【図３】
2008015278.tif 000005
【図４】
2008015278.tif 000006
【図５】
2008015278.tif 000007
【図６】
2008015278.tif 000008
【図７】
2008015278.tif 000009
【図８】
2008015278.tif 000010
【図９】
2008015278.tif 000011
【図１０】
2008015278.tif 000012
【図１１】
2008015278.tif 000013